(57)【要約】      （修正有）【課題】乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用ピンチを提供する。【解決手段】合成樹脂製の挟持片２０と、該挟持片を外側方向から挟持する金属製のバネ体３３で構成される洗濯用のピンチ１０であって、挟持片は、前方に位置する挟持部２１と、中央に位置する回動支点部２３と、後方に位置する把持部３０と、で形成されると共に、該挟持部と回動支点部の間に位置するあご部２５から把持部にかけてバネ体が挿通するスリット溝３１を形成し、さらに挟持部には内側方向に片持ち状に付勢すると共に、後方に円弧状に延設される弾性挟持片２２を設け、回動支点部には回動凹凸支点２３ａと回動逃げ部２３ｂと回動ストッパー部２３ｃと、を設けて成る手段を採る。【選択図】図１
2015204853.tif 000002
【特許請求の範囲】
【請求項１】
形状を同じくして対峙する合成樹脂製の挟持片と、該挟持片を外側方向から挟持する金属製のバネ体で構成される洗濯用のピンチ具であって、
前記挟持片は、前方に位置する挟持部と、中央に位置する回動支点部と、後方に位置する把持部と、で形成されると共に、該挟持部と回動支点部の間に位置するあご部から把持部にかけて前記バネ体が挿通するスリット溝を形成して成り、
前記挟持部は、内側方向に片持ち状に付勢すると共に、後方に円弧状に延設される弾性挟持片を形成して成り、
前記回動支点部は、回動凹凸支点と、回動逃げ部と、回動ストッパー部とで構成され、
前記回動凹凸支点は、前記回動支点部の中央位置に設けられると共に、厚み方向の中央に設けられるスリット溝の両側に双設され、
前記回動逃げ部は、前記回動支点部の後方位置に円弧状の逃げ部を形成し、
前記回動ストッパー部は、前記回動支点部の前方位置に平面状の当接面を形成して成り、
前記あご部は、内側方向には前記弾性挟持片の逃げ空間を形成し、外側方向には前記スリット溝の底面を成すガイド摺動部を形成し、該ガイド摺動部は先端部に向かって外側へ山形状に膨出して傾斜するスロープ部と、その最奥部に落とし込み穴を形成して成り、
前記把持部は、後端部が外側方向に向かって拡開する握り手状に形成すると共に、後方先端付近には吊持フックが掛けられる吊持穴を穿設して成り、
前記バネ体は、棒状または板状のバネ部材を一部が開口する開口部を形成して内側方向に付勢する形状に成形すると共に、該開口部の両端を内側方向に折り返したことを特徴とする洗濯用ピンチ。
【請求項２】
前記挟持片を一体成形によって連結する連結体を前記回動支点部の回動逃げ部の後方に設けたことを特徴とする請求項１記載の洗濯用ピンチ。
【請求項３】
前記回動凹凸支点が一体成形によって連結される回動連結支点で形成されたことを特徴とする請求項１記載の洗濯用ピンチ。
【請求項４】
前記バネ体が挿通される挿通スリット穴を前記挟持片のあご部から把持部の間に形成したことを特徴とする請求項１から請求項３の何れか記載の洗濯用ピンチ。
【請求項５】
前記挟持片の挟持部と回動支点部の間を無垢状に形成すると共に、該回動支点部から把持部にかけて前記バネ体が挿通される挿通長穴を形成し、
前記バネ体の先端部が落とし込まれる落とし込み溝を前記挟持片の挟持部の外側に形成したことを特徴とする請求項１から請求項３の何れか記載の洗濯用ピンチ。
【請求項６】
前記把持部の吊持穴を残して洗濯用ピンチ全体を無垢状に形成し、前記把持部の一方の内側にバネ板を一体成形して設けると共に、他方の内側に該バネ板を湾曲させた状態で係止する係止突起を一体成形して設けたことを特徴とする請求項３記載の洗濯用ピンチ。
【請求項７】
前記挟持部の弾性挟持片が、洗濯物を内側方向に付勢して挟持する楕円状の弾性挟持片を形成して成ることを特徴とする請求項１から請求項６の何れか記載の洗濯用ピンチ。
【発明の詳細な説明】
【技術分野】
【０００１】
本発明は、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用ピンチに関する。
【背景技術】
【０００２】
従来より、洗濯用ピンチの先端に回転ローラーを配して乾いた洗濯物を容易に且つ、素早く取り込むことができる洗濯用ピンチが考案され、その構造を応用した多様のローラー付き洗濯用ピンチが提案されている。例えば、「ローラー付き洗濯ばさみ」（特許文献１参照）や「ギザ歯楕円ローラー付き洗濯バサミ」（特許文献２参照）が提案されているが、それらの提案は、回転ローラーを複数組み合わせたり、回転ローラー自体をギザ歯にし、さらに楕円状にすることによって干される洗濯物の脱落を防ぐ構造としているものではあるが、それらの洗濯ばさみは、構造が複雑であると共に部品点数が多数にのぼることから商品コストが高騰になりがちである上、洗濯用ピンチの挟持片が開かない圧着した状態で取り込むことになることからレース生地、絹生地など繊細な洗濯物の生地を傷める恐れがあるものであった。
【０００３】
また、従来の洗濯用ピンチの多くは、バネ体が洗濯用ピンチの外形輪郭から突出して組み込まれていることから、長年に亘って使用され続けると金属製バネの表面腐食による錆汚れの洗濯物への付着や、使用者の皮膚に直接触れることによって金属アネルギーなどのアネルギー症状を発症させる危険性があると共に、実用新案登録第３０６９７１６号公報（特許文献４）の図２で示されるように、その手作業による組立作業が極めて複雑であることから、組立工程における手作業の簡素化とコストダウンを図り、さらに自動化における大量生産を可能にすることができなかった。
【０００４】
そのような状況下において製造される洗濯用ピンチの生産体制は、商品価格自体が低価格であることから、刑務所内の刑務作業や身体障害者施設の労務作業といった特殊環境の生産職場であったり、低賃金の開発途上国などで現地生産されているのが実情であり、今後ともバネ体を洗濯用ピンチの外形輪郭から突出しない構造と、組立作業の簡素化と、自動化による量産化が求められるものではあるが、従来の洗濯用ピンチの構造の複雑さが起因して、それらの要求が未だに達成されていないのが現状である。
【０００５】
上記の問題点を有する洗濯用ピンチについては、従来より多くの提案がなされている。例えば、現在一般的に普及している形状を有する「洗濯用ピンチ」（特許文献３参照）が提案され、公知技術となっている。
【０００６】
上記における「洗濯用ピンチ」の提案は、「組立て易く、外れにくい構造のバネと本体を持ったプラスチックまたは、金属製のクリップ」（特許文献４参照）で示される組立方法は専用工具を必要とし、且つその組立作業が極めて複雑であると同時に、バネ体が洗濯用ピンチの外形輪郭から突出した状態で組み込まれていることから、金属製バネの表面腐食による錆汚れの洗濯物への付着や、使用者の皮膚に直接触れることによって金属アネルギーなどのアネルギー症状を発症させる危険性があると共に、バネ体を挟持片の後方から嵌め込むことができる構造を採用していないため組立工程における自動化が図れない問題があった。
【０００７】
上記の問題点とされる組立工程における手作業の簡素化ならびに自動化を図ろうとする「物干し用ピンチ」（特許文献５参照）や、「洗濯ばさみ」（特許文献６参照）が提案なされ、公知技術となっている。
【０００８】
しかしながら、かかる「物干し用ピンチ」や「洗濯ばさみ」の提案は、バネ体を挟持片の後方から挿入することによって、組立工程における手作業の簡素化ならびに自動化を可能にすることができるものではあるが、バネ体が洗濯用ピンチの外形輪郭から突出した状態で組み立てられていることから、金属製バネの表面腐食による錆汚れの洗濯物への付着や、使用者の皮膚に直接触れることによって金属アネルギーなどのアネルギー症状を発症させる問題点を解決することができなかった。
【０００９】
さらに、上記の問題点とされる組立工程における手作業の簡素化を図るべき、一体成形される合成樹脂製の挟持片とバネ体とで構成される「保持装置」（特許文献７参照）が提案され、公知技術となっている。
【００１０】
しかしながら、かかる「保持装置」の提案は、バネ体が合成樹脂製の挟持片と同一素材で形成されていることから、弾性挟持力が弱い上、挟持力が経時的に持続されない問題があった。
【００１１】
また、組立工程における手作業の簡素化を図るべき、一体成形される合成樹脂製の挟持片と金属製のバネ体とで構成される「組み立ての簡素化を図った洗濯挟み」（特許文献８参照）や「クリップ」（特許文献９参照）が提案され、公知技術となっている。
【００１２】
しかしながら、かかる「組み立ての簡素化を図った洗濯挟み」や「クリップ」の提案は、挟持片に装着されるバネ体の取り付け手段が、組立工数を著しく増大させると共に、その取り付け手段が自動化を可能とするものではなく、さらにその取り付け状態が不安定なものであることから、組立工程における手作業の簡素化が図れない問題があった。
【００１３】
本出願人は、以上のような金属アネルギーなどのアネルギー症状を発症させる危険性のある問題点や、組立工程における手作業の簡素化や自動化を図ることができない問題点に着目し、かかる問題点を洗濯用ピンチの挟持片が開かない圧着した状態で取り込むことができる付加価値を加えた上で一挙に解決することができないものかとの着想の下、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用のピンチ具を開発し、本発明における「洗濯用ピンチ」の提案に至るものである。
【先行技術文献】
【特許文献】
【００１４】
【特許文献１】特開平８-７１２９３号公報
【特許文献２】特開２００７-２９６８３号公報
【特許文献３】特開２００１-２２４８９６号公報
【特許文献４】実用新案登録第３０６９７１６号公報
【特許文献５】特開平７-２２２８９５号公報
【特許文献６】実公平６-１６６２６号公報
【特許文献７】特表２００１-５１２０４０号公報
【特許文献８】特開２００６-３４９０２号公報
【特許文献９】実開平５-７４４８９号公報
【発明の概要】
【発明が解決しようとする課題】
【００１５】
本発明は上記問題点に鑑み、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用ピンチの提供を図ることを課題とする。
【課題を解決するための手段】
【００１６】
本発明の洗濯用ピンチは、上記課題を解決するためになされるもので、形状を同じくして対峙する合成樹脂製の挟持片と、該挟持片を外側方向から挟持する金属製のバネ体で構成される洗濯用のピンチ具であって、挟持片は、前方に位置する挟持部と、中央に位置する回動支点部と、後方に位置する把持部と、で形成されると共に、該挟持部と回動支点部の間に位置するあご部から把持部にかけてバネ体が挿通するスリット溝を形成して成り、挟持部は、内側方向に片持ち状に付勢すると共に、後方に円弧状に延設される弾性挟持片を形成して成り、回動支点部は、回動凹凸支点と、回動逃げ部と、回動ストッパー部とで構成され、回動凹凸支点は、回動支点部の中央位置に設けられると共に、厚み方向の中央に設けられるスリット溝の両側に双設され、回動逃げ部は、回動支点部の後方位置に円弧状の逃げ部を形成し、回動ストッパー部は、回動支点部の前方位置に平面状の当接面を形成して成り、あご部は、内側方向には弾性挟持片の逃げ空間を形成し、外側方向にはスリット溝の底面を成すガイド摺動部を形成し、該ガイド摺動部は先端部に向かって外側へ山形状に膨出して傾斜するスロープ部と、その最奥部に落とし込み穴を形成して成り、把持部は、後端部が外側方向に向かって拡開する握り手状に形成すると共に、後方先端付近には吊持フックが掛けられる吊持穴を穿設して成り、バネ体は、棒状または板状のバネ部材を一部が開口する開口部を形成して内側方向に付勢する形状に成形すると共に、該開口部の両端を内側方向に折り返した手段を採る。
【００１７】
また本発明の洗濯用ピンチは、挟持片を一体成形によって連結する連結体を回動支点部の回動逃げ部の後方に設けた手段を採る。
【００１８】
また本発明の洗濯用ピンチは、回動凹凸支点が一体成形によって連結される回動連結支点で形成された手段を採る。
【００１９】
また本発明の洗濯用ピンチは、バネ体が挿通される挿通スリット穴を挟持片のあご部から把持部の間に形成した手段を採る。
【００２０】
また本発明の洗濯用ピンチは、挟持片の挟持部と回動支点部の間を無垢状に形成すると共に、該回動支点部から把持部にかけてバネ体が挿通される挿通長穴を形成し、バネ体の先端部が落とし込まれる落とし込み溝を挟持片の挟持部の外側に形成した手段を採る。
【００２１】
また本発明の洗濯用ピンチは、把持部の吊持穴を残して洗濯用ピンチ全体を無垢状に形成し、把持部の一方の内側にバネ板を一体成形して設けると共に、他方の内側に該バネ板を湾曲させた状態で係止する係止突起を一体成形して設けた手段を採る。
【００２２】
また本発明の洗濯用ピンチは、挟持部の弾性挟持片が、洗濯物を内側方向に付勢して挟持する楕円状の弾性挟持片を形成して成る手段を採る。
【発明の効果】
【００２３】
本発明の洗濯用ピンチによれば、バネ体の挟持力を制限する回動ストッパー部を設けた構造と、洗濯物をソフトタッチに挟持する弾性挟持片を設けた構造と、を備えることによって洗濯ピンチの挟持片を閉じた状態で乾いた洗濯物を容易に且つ、素早く取り込むことができるといった優れた効果を奏する。
【００２４】
また本発明の洗濯用ピンチによれば、一体成形される合成樹脂製の挟持片に形状の異なる金属製のバネ体を嵌め込むことによって、組立工程における手作業の簡素化とコストダウンを図り、さらにバネ体を挟持片の後方から嵌め込むことができる構造を採用していることによって自動化における大量生産を可能にするといった優れた効果を奏する。
【００２５】
また本発明の洗濯用ピンチによれば、厚み方向の中央に設けられるスリット溝の両側に帯状の連結体が双設されていることによって、挟持片同士を組み合わせる必要性がなくなることから、組立工程における手作業の簡素化ならびに自動化ラインの組立工程の工数削減が図られるといった優れた効果を奏する。
【００２６】
また本発明の洗濯用ピンチによれば、回動支点部の後方に設けられる帯状の連結体によって上方の挟持片と下方の挟持片が射出成形加工工程において一体化されることにより、後工程における組立工程の工数削減が図られると共に、使用時においては、回動支点部の回動凹凸支点によって回動動作がスムーズに行えるといった優れた効果を奏する。
【００２７】
また本発明の洗濯用ピンチによれば、バネ体を洗濯用ピンチの外形輪郭内に設けることによって、金属製バネの表面腐食による錆汚れの洗濯物への付着を防ぐと共に、使用者の皮膚に直接触れることを極力避けることができるため、金属アネルギーなどのアネルギー症状を防ぐことができるといった優れた効果を奏する。
【００２８】
また本発明の洗濯用ピンチによれば、バネ体が洗濯用ピンチの外形輪郭内に設けられることによって、洗濯用ピンチ自体のコンパクト化が図れると同時に、布団干し用ピンチや物干し竿用ピンチ、角型ハンガーピンチなど、家庭用や工業用のピンチ具として利用できるといった優れた効果を奏する。
【００２９】
また本発明の洗濯用ピンチによれば、バネ体が洗濯用ピンチの外形輪郭から突出しない機能的なユニバーサルデザインを施すことができるといった優れた効果を奏する。
【００３０】
また本発明の洗濯用ピンチによれば、従来のリング状のバネ体を挟持片の後方から組み込むことができる構造を採用していることによって自動化による大量生産を可能にすると共に、射出成形加工によって形成される帯状の連結体を有することで挟持片同士を組み合わせる必要性がなくなることから、低コストの洗濯用ピンチの製造ができるといった優れた効果を奏する。
【００３１】
また本発明の洗濯用ピンチによれば、従来のリング状のバネ体と、一体成形される挟持片の帯状の連結体ならびに回動連結支点を利用することで、挟持片同士を組み合わせる必要性がなくなることから、従来の組立工程を大きく変更することなく最小限の設備投資で低コストの洗濯用ピンチの製造ができるといった優れた効果を奏する。
【図面の簡単な説明】
【００３２】
【図１】本発明の請求項１記載の洗濯用ピンチを示す説明図である。（実施例１）
【図２】本発明の請求項１記載の洗濯用ピンチの使用状態を示す説明図である。
【図３】本発明の請求項２記載の洗濯用ピンチを示す説明図である。（実施例２）
【図４】本発明の請求項３記載の洗濯用ピンチを示す説明図である。（実施例３）
【図５】本発明の請求項４記載の洗濯用ピンチを示す説明図である。（実施例４）
【図６】本発明の請求項５記載の洗濯用ピンチを示す説明図である。（実施例５）。
【図７】本発明の請求項６記載の洗濯用ピンチを示す説明図である。（実施例６）
【図８】本発明の請求項７記載の洗濯用ピンチを示す説明図である。（実施例７）
【発明を実施するための形態】
【００３３】
本発明の洗濯用ピンチ１０は、形状を同じくして対峙する合成樹脂製の挟持片２０と、金属製のバネ体３３で構成される洗濯用のピンチ具であって、挟持片２０は、前方に位置する挟持部２１と、中央に位置する回動支点部２３と、後方に位置する把持部３０と、で形成されると共に、該挟持部２１と回動支点部２３の間に位置するあご部２５から把持部３０にかけてバネ体３３が挿通するスリット溝３１を形成し、さらに挟持部２１には内側方向に片持ち状に付勢すると共に、後方に円弧状に延設される弾性挟持片２２を設け、回動支点部２３には回動凹凸支点２３aと回動逃げ部２３bと回動ストッパー部２３cとが設けられ、バネ体３３の挟持力を制限する構造と、洗濯物Ｓをソフトタッチに挟持する弾性挟持片２２を設けることによって乾いた洗濯物Ｓを容易に、且つ素早く取り込むことができる構造に加えて金属アネルギーや錆汚れの付着を防ぐと共に、組立工程における手作業の簡素化とコストダウンを図り、さらに自動化における大量生産を可能にする構造を有したことを最大の特徴とするものである。以下、本発明の実施形態を図面に基づいて説明する。
【００３４】
なお、本発明における洗濯用ピンチ１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３５】
図１は、本発明の請求項１記載の洗濯用ピンチを示す説明図である。
図１（ａ）は本発明の洗濯用ピンチの分解説明図を示し、図１（ｂ）は断面組立図を示し、図１（ｃ）は側面図を示す。
本発明の洗濯用ピンチ１０は、形状を同じくして対峙する合成樹脂製の挟持片２０と、該挟持片２０を外側方向から挟持する金属製のバネ体３３で構成される洗濯用のピンチ具であって、挟持片２０は、前方に位置する挟持部２１と、中央に位置する回動支点部２３と、後方に位置する把持部３０と、で形成されると共に、該挟持部２１と回動支点部２３の間に位置するあご部２５から把持部３０にかけてバネ体３３が挿通するスリット溝３１を形成して成る。
【００３６】
挟持片２０は、一体成形される合成樹脂素材で形成され、前方に位置する挟持部２１と、中央に位置する回動支点部２３と、該挟持部２１と回動支点部２３の間に位置するあご部２５と、後方に位置する把持部３０とで形成される。
【００３７】
挟持部２１は、洗濯物Ｓを内側方向に付勢して後方に円弧状に延設される片持ち状の弾性挟持片２２を備えて形成される。
【００３８】
弾性挟持片２２は、挟持部２１の内側方向に片持ち状に付勢すると共に、後方に円弧状に延設し、あご部２５の逃げ空間２６内で洗濯物Ｓを挟持する弾性復元を繰り返す構造を有して形成される。
【００３９】
回動支点部２３は、回動凹凸支点２３aと、回動逃げ部２３bと、回動ストッパー部２３cとで構成され、挟持片２０の略中央に位置して厚み方向の中央に設けられるスリット溝３１の両側に双設される。
【００４０】
回動凹凸支点２３aは、回動支点部２３の中央位置に設けられると共に、厚み方向の中央に設けられるスリット溝３１の両側に双設されるもので、形状的には図示されるような凹凸状の突起または穴の外に、半円形の嵌め合い突起溝などで形成することもできる。
【００４１】
回動逃げ部２３bは、回動支点部２３の後方位置に円弧状の逃げ部を形成して成るもので、円弧状の逃げ部を形成していることによって、バネ体３３の挟持力の動きに同調して洗濯用ピンチ１０の先端部をスムーズに開かせる役目を果たす。
【００４２】
回動ストッパー部２３cは、回動支点部２３の前方位置に平面状の当接面を形成して成るもので、洗濯用ピンチ１０の先端部を閉じた場合、バネ体３３の挟持力を制限し、弾性挟持片２２の挟持力のみで洗濯物Ｓをソフトタッチに挟持すると共に、ローラー付き洗濯ばさみの様に乾いた洗濯物を容易に且つ、素早く取り込むことができる。
また当接面の表面に突出量の異なる突起を設けたり、当接面の接触角度を変えたりし、さらにそれらの違いを視認できるようにカラーや形状を違えて挟持物Ｓの厚みに合わせた専用の洗濯用ピンチ１０とすることもできる。
また、従来の先行文献における一体成形される合成樹脂製の挟持部材とばね要素とで構成される「保持装置」（特許文献７参照）は、本発明の構成要素である回動ストッパー部２３cを備えていない状態で、ばね要素の挟持力が洗濯物Ｓにダイレクトに伝わる構造を有して提案されているのに対し、本発明の洗濯用ピンチ１０は、回動ストッパー部２３cを備えていることによってバネ体３３の挟持力を制限し、弾性挟持片２２の挟持力のみで洗濯物Ｓをソフトタッチに挟持する構造を有して提案しているもので、その挟持する回動ストッパー部２３cを備える挟持手段と構造は大きく異なるものである。
【００４３】
あご部２５は、内側方向には挟持部２１の弾性挟持片２２の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を設けて形成される。
【００４４】
スロープ部２８は、あご部２５の底面に先端部に向かって山形状に膨出して傾斜する形状で形成されるもので、先端部に向かって外側へ傾斜していることによって、バネ体３３の開口部３４がやや拡開した状態で組み込まれるため、常時挟持片２０を内側方向に付勢している状態で組み合わされる。また、スロープ部２８が山形状に膨出して傾斜していることによって、バネ体３３の開口部３４の先端部が落とし込み穴２９から外れ落ちることを防止することができる。
【００４５】
把持部３０は、後端部に吊持フックが挿通される吊持穴３７を穿設すると共に、該後端部が外側方向に向かって拡開する形状に形成される。吊持フックが挿通される吊持穴３７が設けられることによって洗濯用ピンチ１０自体を物干し竿やハンガーに自在に吊るすことができるため、洗濯物Ｓの形状や種類に合わせて使い分けて使用することができる。なお、吊持穴３７は洗濯用ピンチ１０の種類によっては形成しない仕様とすることもできる。
【００４６】
スリット溝３１は、挟持片２０のあご部２５から把持部３０にかけてバネ体３３が挿通されるスリット状の溝であって、挟持片２０の厚み方向の中心位置に設けられる。さらに該バネ体３３が外形輪郭内に組み込まれることによって、挟持片２０同士が内側方向に付勢した状態で組み合わされ、さらに、バネ体３３を挟持片２０の後方から嵌め込むことで自動化による大量生産を可能にすると共に、外側が閉塞されていることによって機能的なユニバーサルデザインが施された洗濯用ピンチ１０とすることができる。
また、図１（ａ）,（ｂ）,（ｃ）では外側方向が閉塞する形状において作図しているが、内側から外側に挿通可能な挿通スリット穴３２とすることもできる。
【００４７】
バネ体３３は、金属製の棒状または板状のバネ部材を一部が開口する開口部３４を形成して内側方向に付勢する形状に成形すると共に、該開口部３４の両端を内側方向に折り返した状態に形成して成る。またバネ体３３を挟持片２０の後方から嵌め込むことができる構造を採用していることで自動化による大量生産を可能にしている。また、図示される角形のバネ体３３の突出した状態が把持部３０の可動範囲内に収まることによって、洗濯用ピンチ１０自体のコンパクト化が図れると同時に、洗濯物Ｓならびに使用者の皮膚に直接接触することを回避することができる。
なお、バネ体３３の形状は、円形や楕円形の外に角形などバネ部材を内側方向に付勢すると共に、外形輪郭内に位置して組み込まれる形状であれば、特にその形状を限定するものではない。
【００４８】
開口部３４は、バネ体３３の一部を開口して形成されるものであって、その両端はＵ字状に折り返されている。両端を折り返すことによって該先端部が丸みを帯びた状態となり、挿入時において山形状に膨出して傾斜するスロープ部２８に引っ掛かることなくスムーズに押し込むことができると共に、スロープ部２８の最奥部にある落とし込み穴２９に落とし込んだ状態から外れ落ちることを防止する形状となっている。
【００４９】
以上で構成される本発明の洗濯用ピンチ１０は、挟持片２０の内側に洗濯物Ｓを内側方向に付勢して挟持する片持ち状の弾性挟持片２２を形成する構造を採用していることよって、乾いた洗濯物Ｓを取り込む際に洗濯用ピンチ１０の挟持片２０が開かない状態で容易に且つ、素早く取り込むことができ、さらにバネ体３３を挟持片２０の把持部３０の後方から嵌め込むことができる構造を採用していることよって、組立工程における手作業の簡素化とコストダウンが図られ、さらに自動化における大量生産を可能にすると共に、バネ体３３を洗濯用ピンチ１０の外形輪郭内に設けることによって、金属製バネの表面腐食による錆汚れの洗濯物Ｓへの付着を防ぐと共に、使用者の皮膚に直接触れることを極力避けることができる上、金属アネルギーなどのアネルギー症状を防止することができるといった多くの利点を有して形成される。
【００５０】
図２は、本発明の請求項１記載の洗濯用ピンチの使用状態を示す説明図である。
図２（ａ）は洗濯物Ｓの物干し前の状態を示す説明図である。
洗濯用ピンチ１０の把持部３０を握って挟持片２０の先端の挟持部２１を拡開した状態で洗濯物Ｓを差し込む。
【００５１】
図２（ｂ）は洗濯物Ｓの物干し中の状態を示す説明図である。
洗濯用ピンチ１０の弾性挟持片２２で洗濯物Ｓを挟持して物干しする。
この時、バネ体３３の挟持力は回動ストッパー部２３c同士が当接することで制限されるため、洗濯物Ｓは弾性挟持片２２の弾性力のみの挟持力でソフトタッチに挟持される。
【００５２】
図２（ｃ）は、洗濯物Ｓの物干し後の状態を示す説明図である。
洗濯物Ｓがバネ体３３の挟持力の影響を受けない弾性挟持片２２の弾性力のみでソフトタッチに挟持されるため、洗濯用ピンチ１０の挟持部２１が開かない圧着した状態で乾いた洗濯物Ｓを容易に、且つ素早く取り込むことができる。
【００５３】
以上で構成される本発明の洗濯用ピンチ１０は、従来の洗濯用ピンチの先端に回転ローラーを備えたローラー付き洗濯用ピンチと比較して、構造が極めて簡単でしかも製品価格が安価である上、洗濯物Ｓに対してもソフトタッチに挟持することができるため、レース生地、絹生地などの繊細な洗濯物Ｓの生地を傷つけることなく、乾いた洗濯物Ｓを容易に且つ、素早く取り込むことができる。
【実施例２】
【００５４】
図３は、本発明の請求項２記載の洗濯用ピンチを示す説明図である。
図３（ａ）は本発明の洗濯用ピンチ１０の分解説明図を示し、図３（ｂ）は断面組立図を示し、図３（ｃ）は後方からの側面図を示す。
本発明の洗濯用ピンチ１０は、挟持片２０を一体成形によって連結する帯状の連結体２４を回動支点部２３の回動逃げ部２３ｃの後方に設けて形成されるもので、詳しくは、一体成形される合成樹脂製の挟持片２０と、該挟持片２０を外側方向から挟持する金属製のバネ体３３の２つの部品で構成される洗濯用のピンチであって、挟持片２０は、前方に位置する挟持部２１と、中央に位置する回動支点部２３と、後方に位置する把持部３０と、で形成されると共に、該挟持部２１と回動支点部２３の間に位置するあご部２５から把持部３０にかけてバネ体３３が挿通するスリット溝３１を形成して成り、挟持部２１は、内側方向に片持ち状に付勢すると共に、後方に円弧状に延設される弾性挟持片２２を形成して成り、回動支点部２３は、厚み方向の中央に設けられるスリット溝３１をはさんだ両側に挟持片２０同士を連結する帯状の連結部２４を形成して成り、あご部２５は、内側方向には挟持部２１の逃げ空間２５を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成して内側方向に付勢する形状に成形すると共に、該開口部３４の両端を内側方向に折り返して形成される。
【００５５】
連結体２４は、挟持片２０の略中央に位置し、厚み方向の中央に設けられるスリット溝３１をはさんだ両側に双設される回動支点部２３の後方に帯状に設けられ、上方の挟持片２０と下方の挟持片２０を一体成形して連結すると共に、互いの位置関係を維持する目的で設けられる。射出成形工程を終了してから組立工程までの間、上方の挟持片２０と下方の挟持片２０の互いの位置関係を保つことにより挟持片２０同士を組み合わせる必要性がなくなることから、組立工程における手作業の簡素化ならびに自動化ラインの組立工程の工数削減が図られる。また形状的には帯状が好ましいが線状、肉薄穴あき板などその形状は特に限定されるものではなく、折り畳み機能や切り離し機能を持たせるために折り目や破断スリットを設けても良い。さらにバネ体３３によって挟持片２０同士が組み合わされた後は、その役割が終了することから材質的な強度ならびに耐久性も特に必要とするものではない。
【００５６】
本発明の洗濯用ピンチ１０を組み付ける時は、バネ体３３を挟持片の２０のスリット溝３１の両側に双設される回動支点部２３と帯状の連結体２４を跨いだ状態で嵌め込んで組み立てられる。なお、バネ体３３の形状は、バネ部材を内側方向に付勢する形状であれば、特にその形状を限定するものではない。
【００５７】
以上で構成される本発明の洗濯用ピンチ１０は、一体成形される合成樹脂製の挟持片２０と、リング状のバネ体３３を挟持片２０の後方から嵌め込むことができる構造を採用していることで自動化による大量生産を可能にする。また従来のリング状のバネ体３３を使用すると共に、射出成形加工によって形成される帯状の連結体２４が設けられることによって挟持片２０同士を組み合わせる必要性がなくなることから、組立工程における手作業の簡素化ならびに自動化ラインの組立工程の工数削減が図られる。
【実施例３】
【００５８】
図４は、本発明の請求項３記載の洗濯用ピンチを示す説明図である。
図４（ａ）は本発明の洗濯用ピンチ１０の分解説明図を示し、図４（ｂ）は断面組立図を示し、図４（ｃ）は後方からの側面図を示す。
本発明の洗濯用ピンチ１０は、回動支点部２３の回動凹凸支点２３aが一体成形によって連結される回動連結支点２３dで形成されるもので、詳しくは、一体成形される合成樹脂製の挟持片２０と、該挟持片２０を外側方向から挟持する金属製のバネ体３３の２つの部品で構成される洗濯用のピンチであって、挟持片２０は、前方に位置する挟持部２１と、中央に位置する回動支点部２３と、後方に位置する把持部３０と、で形成されると共に、該挟持部２１と回動支点部２３の間に位置するあご部２５から把持部３０にかけてバネ体３３が挿通するスリット溝３１を形成して成り、挟持部２１は、内側方向に片持ち状に付勢すると共に、後方に円弧状に延設される弾性挟持片２２を形成して成り、回動支点部２３は、厚み方向の中央に設けられるスリット溝３１をはさんだ両側に挟持片２０同士を連結する回動連結支点２３dを形成して成り、あご部２５は、内側方向には挟持部２１の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成して内側方向に付勢する形状に成形すると共に、該開口部３４の両端を内側方向に折り返して形成される。
【００５９】
回動連結支点２３dは、挟持片２０の略中央に位置し、厚み方向の中央に設けられるスリット溝３１をはさんだ両側に双設される回動支点部２３の中央に設けられると同時に、上方の挟持片２０と下方の挟持片２０を一体成形して連結し、回動枢軸としてや挟持片２０の互いの位置関係を維持する目的で設けられると共に、上方の挟持片２０と下方の挟持片２０の互いの位置関係を保つことにより挟持片２０同士を組み合わせる必要性をなくすことを目的として形成される。
【００６０】
以上で構成される本発明の洗濯用ピンチ１０は、一体成形される合成樹脂製の挟持片２０と、リング状のバネ体３３を挟持片２０の後方から嵌め込むことができる構造を採用していることで自動化による大量生産を可能にする。また従来のリング状のバネ体３３を使用すると共に、射出成形加工によって形成される回動連結支点２３dが設けられることによって挟持片２０同士を組み合わせる必要性がなくなることから、組立工程における手作業の簡素化ならびに自動化ラインの組立工程の工数削減が図られる。
【実施例４】
【００６１】
図５は、本発明の請求項４記載の洗濯用ピンチを示す説明図である。
図５（ａ）は請求項１記載の回動支点部２３が回動凹凸支点２３aで形成される洗濯用ピンチ１０にバネ体３３が挿通される挿通スリット穴３２を挟持片２０のあご部２５から把持部３０の間に形成した実施形態である。
図５（ｂ）は請求項２記載の回動支点部２３の後方に設けられる帯状の連結体２４で連結される洗濯用ピンチ１０にバネ体３３が挿通される挿通スリット穴３２を挟持片２０のあご部２５から把持部３０の間に形成した実施形態である。
図５（ｃ）は請求項３記載の回動支点部２３の回動支点が回動連結支点２３dで連結される洗濯用ピンチ１０にバネ体３３が後方から挿通される挿通スリット穴３２を挟持片２０のあご部２５から把持部３０の間に形成した実施形態である。
【００６２】
挿通スリット穴３２は、あご部２５から把持部３０にかけてバネ体３３が挿通されるスリット状の貫通穴であって、挟持片２０の厚み方向の中心位置に設けられる。
なお、挿通スリット穴３２とした理由は、スリット溝３１については外側が閉塞されてユニバーサルデザインが施されるデザイン的機能を優先した仕様に対し、挿通スリット穴３２は、従来のリング状のバネ体３３を利用することで製造コストの削減を優先した仕様としたことである。
【００６３】
以上で構成される本発明の洗濯用ピンチ１０は、一体成形される合成樹脂製の挟持片２０の挿通スリット穴３２に、リング状のバネ体３３を挟持片２０の後方から嵌め込むことによって自動化による大量生産を可能にすると共に、従来のリング状のバネ体３３を使用することから、低コストの洗濯用ピンチの製造ができるといった優れた効果が得られる。  
【実施例５】
【００６４】
図６は、本発明の請求項５記載の洗濯用ピンチを示す説明図である。
図６（ａ）は請求項１記載の回動支点部２３が回動凹凸支点２３aで形成される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片２０の挟持部２１の外側に形成した実施形態である。
【００６５】
図６（ｂ）は請求項２記載の回動支点部２３の後方に設けられる帯状の連結体２４で連結される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片２０の挟持部２１の外側に形成した実施形態である。
【００６６】
図６（ｃ）は請求項３記載の回動支点部２３の回動支点が回動連結支点２３dで連結される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片の挟持部２１の外側に形成した実施形態である。
【００６７】
挿通長穴３６は、回動支点部２３から把持部３０にかけてバネ体３３が挿通される貫通長穴であって、挟持片２０の厚み方向の中心位置に設けられる。
【００６８】
以上で構成される本発明における洗濯用ピンチ１０は、従来の洗濯用ピンチ１０に挿通長穴３６を設け、その挿通長穴３６にリング状のバネ体３３を挿通することによって、従来の組立工程を大きく変更することなく最小限の設備投資で低コストの製造ができるといった優れた効果が得られる。
【実施例６】
【００６９】
図７は、本発明の請求項６記載の洗濯用ピンチを示す説明図である。
図７（ａ）は本発明の洗濯用ピンチ１０の全体図を示す。
本発明の洗濯用ピンチ１０は、把持部３０の吊持穴３７を残して洗濯用ピンチ１０全体を無垢状に形成し、把持部３０の一方の内側にバネ板３８を一体成形して設けると共に、他方の内側に該バネ板３８を湾曲させた状態で係止する係止突起３９を一体成形して設けられる。
【００７０】
図７（ｂ）は本発明の洗濯用ピンチ１０の断面組立図を示す。
一体成形されたバネ板３８を挟持片２０の把持部３０の内側に湾曲させた状態で係止突起３９に組み込む。
【００７１】
以上で構成される本発明の洗濯用ピンチ１０は、洗濯用ピンチ１０を構成する全ての部品（挟持片２０とバネ板３８）が合成樹脂素材によって一体成形されて形成されることから、洗濯用ピンチ１０に求められる乾いた洗濯物Ｓを取り込む際に洗濯用ピンチ１０を開かないで圧着した状態で容易に且つ、素早く取り込むことができる構造に加えて金属アネルギーや錆汚れの洗濯物Ｓへの付着を防ぐと共に、組立工程における手作業の簡素化とコストダウンを図り、さらに自動化における大量生産を可能にする。
【実施例７】
【００７２】
図８は、本発明の請求項７記載の洗濯用ピンチを示す説明図である。
本発明の洗濯用ピンチ１０は、挟持部２０の弾性挟持片２２が洗濯物Ｓを内側方向に付勢して挟持する楕円状の弾性挟持片４０で形成される。
【００７３】
楕円状の弾性挟持片４０は、あご部２５の逃げ空間２６内で弾性復元して洗濯物Ｓをソフトタッチに挟持するものである。
【００７４】
以上で構成される本発明の洗濯用ピンチ１０は、弾性挟持片の形状が楕円状となっていることで、復元性、挟持性に優れ、また洗濯物Ｓの引っ掛かりなどがなく従来のローラー付き洗濯ばさみと同様な手作業で乾いた洗濯物Ｓを容易に且つ、素早く取り込むことができる。
【産業上の利用可能性】
【００７５】
本発明の洗濯用ピンチは、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にすることから、布団干し用ピンチ、物干し竿用ピンチ、角型ハンガーピンチ、据え置き型の事務用クリップ、工業用ならびに商業用の留め具など家庭用や工業用のピンチ具として利用できるもので、本発明における「洗濯用ピンチ」の産業上の利用可能性は大であると解する。
【符号の説明】
【００７６】
１０  洗濯用ピンチ
２０  挟持片
２１  挟持部
２２  弾性挟持片
２３  回動支点部
２３a 回動凹凸支点
２３b 回動逃げ部
２３c 回動ストッパー部
２３d 回動連結支点
２４  連結体
２５  あご部
２６  逃げ空間
２７  ガイド摺動部
２８  スロープ部
２９  落とし込み穴
３０  把持部
３１  スリット溝
３２  挿通スリット穴
３３  バネ体
３４  開口部
３５  落とし込み溝
３６  挿通長穴
３７  吊持穴
３８  バネ板
３９  係止突起
４０  楕円状の弾性挟持片
Ｓ  洗濯物
【図１】
2015204853.tif 000003
【図２】
2015204853.tif 000004
【図３】
2015204853.tif 000005
【図４】
2015204853.tif 000006
【図５】
2015204853.tif 000007
【図６】
2015204853.tif 000008
【図７】
2015204853.tif 000009
【図８】
2015204853.tif 000010
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
形状を同じくして対峙する一対の合成樹脂製の挟持片と、該一対の挟持片同士を外側方向から押圧して挟持する金属製のバネ体で構成される洗濯用のピンチ具であって、
前記挟持片は、前方に位置する挟持部と、中央に位置する回動支点部と、後方に位置する把持部と、該挟持部と回動支点部の間に位置するあご部と、で構成されると共に、該あご部から把持部にかけて前記バネ体が挿通するスリット溝を形成して成り、
前記挟持部は、内側方向に片持ち状に付勢すると共に、後方に円弧状に延設される弾性挟持片を形成して成り、
前記回動支点部は、回動凹凸支点と、回動逃げ部と、回動ストッパー部とで構成され、
前記回動凹凸支点は、前記回動支点部の中央位置に設けられると共に、厚み方向の中央に設けられるスリット溝の両側に双設され、
前記回動逃げ部は、前記回動支点部の後方位置に円弧状の逃げ部を形成し、
前記回動ストッパー部は、前記回動支点部の前方位置に平面状の当接面を形成して成り、
前記あご部は、内側方向には前記弾性挟持片の逃げ空間を形成し、外側方向には前記スリット溝の底面を成すガイド摺動部を形成し、該ガイド摺動部は先端部に向かって外側へ山形状に膨出して傾斜するスロープ部と、その最奥部に落とし込み穴を形成して成り、
前記把持部は、後端部が外側方向に向かって拡開する握り手状に形成すると共に、後方先端付近には吊持フックが掛けられる吊持穴を穿設して成り、
前記バネ体は、棒状または板状のバネ部材を一部が開口する開口部を形成しつつ内側方向に付勢する形状に成形すると共に、該開口部を成すバネ部材の両先端部が内側方向に折り返えされて成り、
前記挟持片同士が前記回動凹凸支点によって連結された状態において、前記バネ体の開口部を先頭にして前記把持部の内側方向から前記挟持片のスリット溝へ前記バネ体を挿通することで、前記バネ体の先端部が前記あご部の山形状に膨出して傾斜するガイド摺動部のスロープ部に沿って押し込まれ、最終的に該スロープ部の最奥部にある落とし込み穴に前記バネ体の先端部が落とし込まれて組み合わされることを特徴とする洗濯用ピンチ。
【請求項２】
形状を同じくして対峙する一対の合成樹脂製の挟持片と、該一対の挟持片同士を外側方向から押圧して挟持する金属製のバネ体で構成される洗濯用のピンチ具であって、
前記挟持片は、前方に位置する挟持部と、中央に位置する回動支点部と、後方に位置する把持部と、該挟持部と回動支点部の間に位置するあご部と、で構成されると共に、該あご部から把持部にかけて前記バネ体が挿通する挿通スリット穴を形成して成り、
前記挟持部は、内側方向に片持ち状に付勢すると共に、後方に円弧状に延設される弾性挟持片を形成して成り、
前記回動支点部は、回動凹凸支点と、回動逃げ部と、回動ストッパー部とで構成され、
前記回動凹凸支点は、前記回動支点部の中央位置に設けられると共に、厚み方向の中央に設けられる挿通スリット穴の両側に双設され、
前記回動逃げ部は、前記回動支点部の後方位置に円弧状の逃げ部を形成し、
前記回動ストッパー部は、前記回動支点部の前方位置に平面状の当接面を形成して成り、
前記あご部は、内側方向には前記弾性挟持片の逃げ空間を形成し、外側方向には前記挿通スリット穴の底面を成すガイド摺動部を形成し、該ガイド摺動部は先端部に向かって外側へ山形状に膨出して傾斜するスロープ部と、その最奥部に落とし込み穴を形成して成り、
前記把持部は、後端部が外側方向に向かって拡開する握り手状に形成すると共に、後方先端付近には吊持フックが掛けられる吊持穴を穿設して成り、
前記バネ体は、棒状または板状のバネ部材を一部が開口する開口部を形成しつつ内側方向に付勢する形状に成形すると共に、該開口部を成すバネ部材の両先端部が内側方向に折り返えされて成り、
前記挟持片同士が前記回動凹凸支点によって連結された状態において、前記バネ体の開口部を先頭にして前記把持部の内側方向から前記挟持片の挿通スリット穴へ前記バネ体を挿通することで、前記バネ体の先端部が前記あご部の山形状に膨出して傾斜するガイド摺動部のスロープ部に沿って押し込まれ、最終的に該スロープ部の最奥部にある落とし込み穴に前記バネ体の先端部が落とし込まれて組み合わされることを特徴とする洗濯用ピンチ。
【請求項３】
形状を同じくして対峙する一対の合成樹脂製の挟持片と、該一対の挟持片同士を外側方向から押圧して挟持する金属製のバネ体で構成される洗濯用のピンチ具であって、
前記挟持片は、前方に位置する挟持部と、中央に位置する回動支点部と、後方に位置する把持部と、該挟持部と回動支点部の間に位置するあご部と、で構成され、前記挟持片全体を無垢状に形成すると共に、該回動支点部から把持部にかけて前記バネ体が挿通される挿通長穴を形成して成り、
前記挟持部は、内側方向に片持ち状に付勢すると共に、後方に円弧状に延設される弾性挟持片を形成し、外側には前記バネ体の先端部が落とし込まれる落とし込み溝を形成して成り、
前記回動支点部は、回動凹凸支点と、回動逃げ部と、回動ストッパー部とで構成され、
前記回動凹凸支点は、前記回動支点部の中央位置両側に双設され、
前記回動逃げ部は、前記回動支点部の後方位置に円弧状の逃げ部を形成し、
前記回動ストッパー部は、前記回動支点部の前方位置に平面状の当接面を形成して成り、    
前記あご部は、内側方向には前記挟持部の逃げ空間を形成して成り、
前記把持部は、後端部が外側方向に向かって拡開する握り手状に形成すると共に、後方先端付近には吊持フックが掛けられる吊持穴を穿設して成り、
前記バネ体は、棒状または板状のバネ部材を一部が開口する開口部を形成しつつ内側方向に付勢する形状に成形すると共に、該開口部を成すバネ部材の両先端部が内側方向に折り返えされて成り、
前記挟持片同士が前記回動凹凸支点によって連結された状態において、前記挟持片の挟持部の外側に形成された落とし込み溝に前記バネ体の先端部が落とし込まれて組み合わされることを特徴とする洗濯用ピンチ。
【請求項４】
形状を同じくして対峙する一対の合成樹脂製の挟持片と、該一対の挟持片同士を外側方向から押圧して挟持する金属製のバネ体で構成される洗濯用のピンチ具であって、
前記挟持片は、前方に位置する挟持部と、中央に位置する回動支点部と、後方に位置する把持部と、該挟持部と回動支点部の間に位置するあご部と、で構成されると共に、前記把持部の吊持穴を残して洗濯用ピンチ全体を無垢状に形成して成り、
前記挟持部は、内側方向に片持ち状に付勢すると共に、後方に円弧状に延設される弾性挟持片を形成して成り、
前記回動支点部は、回動連結支点と、回動逃げ部と、回動ストッパー部とで構成され、
前記回動連結支点は、前記回動支点部の中央位置に前記一対の挟持片同士と共に一体成形し、
前記回動逃げ部は、前記回動支点部の後方位置に円弧状の逃げ部を形成し、
前記回動ストッパー部は、前記回動支点部の前方位置に平面状の当接面を形成して成り、
前記あご部は、内側方向には前記弾性挟持片の逃げ空間を形成して成り、
前記把持部は、後端部が外側方向に向かって拡開する握り手状に形成すると共に、後方先端付近には吊持フックが掛けられる吊持穴を穿設して成り、
前記把持部の一方の内側にバネ板を一体成形して設けると共に、他方の内側に該バネ板を湾曲させた状態で係止する係止突起を一体成形し、前記バネ板を前記係止突起に係合させて組み合わされることを特徴とする洗濯用ピンチ。
【請求項５】
前記一対の挟持片同士と一体成形によって連結される連結体を前記回動支点部の回動逃げ部の後方に設けたことを特徴とする請求項１から請求項３の何れか記載の洗濯用ピンチ。
【請求項６】
前記一対の挟持片同士と一体成形によって連結される回動連結支点を前記回動凹凸支点に替わって設けたことを特徴とする請求項１から請求項３の何れか記載の洗濯用ピンチ。
【請求項７】
前記挟持部の弾性挟持片が、洗濯物を内側方向に付勢して挟持する楕円状の弾性挟持片を形成して成ることを特徴とする請求項１から請求項６の何れか記載の洗濯用ピンチ。
【手続補正２】
【補正対象書類名】明細書
【補正対象項目名】全文
【補正方法】変更
【補正の内容】
【発明の詳細な説明】
【技術分野】
【０００１】
本発明は、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用ピンチに関する。
【背景技術】
【０００２】
従来より、洗濯用ピンチの先端に回転ローラーを配して乾いた洗濯物を容易に且つ、素早く取り込むことができる洗濯用ピンチが考案され、その構造を応用した多様のローラー付き洗濯用ピンチが提案されている。例えば、「ローラー付き洗濯ばさみ」（特許文献１参照）や「ギザ歯楕円ローラー付き洗濯バサミ」（特許文献２参照）が提案されているが、それらの提案は、回転ローラーを複数組み合わせたり、回転ローラー自体をギザ歯にし、さらに楕円状にすることによって干される洗濯物の脱落を防ぐ構造としているものではあるが、それらの洗濯ばさみは、構造が複雑であると共に部品点数が多数にのぼることから商品コストが高騰になりがちである上、洗濯用ピンチの挟持片が開かない圧着した状態で取り込むことになることからレース生地、絹生地など繊細な洗濯物の生地を傷める恐れがあるものであった。
【０００３】
また、従来の洗濯用ピンチの多くは、バネ体が洗濯用ピンチの外形輪郭から突出して組み込まれていることから、長年に亘って使用され続けると金属製バネの表面腐食による錆汚れの洗濯物への付着や、使用者の皮膚に直接触れることによって金属アネルギーなどのアネルギー症状を発症させる危険性があると共に、実用新案登録第３０６９７１６号公報（特許文献４）の図２で示されるように、その手作業による組立作業が極めて複雑であることから、組立工程における手作業の簡素化とコストダウンを図り、さらに自動化における大量生産を可能にすることができなかった。
【０００４】
そのような状況下において製造される洗濯用ピンチの生産体制は、商品価格自体が低価格であることから、刑務所内の刑務作業や身体障害者施設の労務作業といった特殊環境の生産職場であったり、低賃金の開発途上国などで現地生産されているのが実情であり、今後ともバネ体を洗濯用ピンチの外形輪郭から突出しない構造と、組立作業の簡素化と、自動化による量産化が求められるものではあるが、従来の洗濯用ピンチの構造の複雑さが起因して、それらの要求が未だに達成されていないのが現状である。
【０００５】
上記の問題点を有する洗濯用ピンチについては、従来より多くの提案がなされている。例えば、現在一般的に普及している形状を有する「洗濯用ピンチ」（特許文献３参照）が提案され、公知技術となっている。
【０００６】
上記における「洗濯用ピンチ」の提案は、「組立て易く、外れにくい構造のバネと本体を持ったプラスチックまたは、金属製のクリップ」（特許文献４参照）で示される組立方法は専用工具を必要とし、且つその組立作業が極めて複雑であると同時に、バネ体が洗濯用ピンチの外形輪郭から突出した状態で組み込まれていることから、金属製バネの表面腐食による錆汚れの洗濯物への付着や、使用者の皮膚に直接触れることによって金属アネルギーなどのアネルギー症状を発症させる危険性があると共に、バネ体を挟持片の把持部の嵌め込むことができる構造を採用していないため組立工程における自動化が図れない問題があった。
【０００７】
上記の問題点とされる組立工程における手作業の簡素化ならびに自動化を図ろうとする「物干し用ピンチ」（特許文献５参照）や、「洗濯ばさみ」（特許文献６参照）が提案なされ、公知技術となっている。
【０００８】
しかしながら、かかる「物干し用ピンチ」や「洗濯ばさみ」の提案は、バネ体を挟持片の把持部の後方から挿入することによって、組立工程における手作業の簡素化ならびに自動化を可能にすることができるものではあるが、バネ体が洗濯用ピンチの外形輪郭から突出した状態で組み立てられていることから、金属製バネの表面腐食による錆汚れの洗濯物への付着や、使用者の皮膚に直接触れることによって金属アネルギーなどのアネルギー症状を発症させる問題点を解決することができなかった。
【０００９】
さらに、上記の問題点とされる組立工程における手作業の簡素化を図るべき、一体成形される合成樹脂製の挟持片とバネ体とで構成される「保持装置」（特許文献７参照）が提案され、公知技術となっている。
【００１０】
しかしながら、かかる「保持装置」の提案は、バネ体が合成樹脂製の挟持片と同一素材で形成されていることから、弾性挟持力が弱い上、挟持力が経時的に持続されない問題があった。
【００１１】
また、組立工程における手作業の簡素化を図るべき、一体成形される合成樹脂製の挟持片と金属製のバネ体とで構成される「組み立ての簡素化を図った洗濯挟み」（特許文献８参照）や「クリップ」（特許文献９参照）が提案され、公知技術となっている。
【００１２】
しかしながら、かかる「組み立ての簡素化を図った洗濯挟み」や「クリップ」の提案は、挟持片に装着されるバネ体の取り付け手段が、組立工数を著しく増大させると共に、その取り付け手段が自動化を可能とするものではなく、さらにその取り付け状態が不安定なものであることから、組立工程における手作業の簡素化が図れない問題があった。
【００１３】
本出願人は、以上のような金属アネルギーなどのアネルギー症状を発症させる危険性のある問題点や、組立工程における手作業の簡素化や自動化を図ることができない問題点に着目し、かかる問題点を洗濯用ピンチの挟持片が開かない圧着した状態で取り込むことができる付加価値を加えた上で一挙に解決することができないものかとの着想の下、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用のピンチ具を開発し、本発明における「洗濯用ピンチ」の提案に至るものである。
【先行技術文献】
【特許文献】
【００１４】
【特許文献１】特開平８-７１２９３号公報
【特許文献２】特開２００７-２９６８３号公報
【特許文献３】特開２００１-２２４８９６号公報
【特許文献４】実用新案登録第３０６９７１６号公報
【特許文献５】特開平７-２２２８９５号公報
【特許文献６】実公平６-１６６２６号公報
【特許文献７】特表２００１-５１２０４０号公報
【特許文献８】特開２００６-３４９０２号公報
【特許文献９】実開平５-７４４８９号公報
【発明の概要】
【発明が解決しようとする課題】
【００１５】
本発明は上記問題点に鑑み、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にする洗濯用ピンチの提供を図ることを課題とする。
【課題を解決するための手段】
【００１６】
本発明の洗濯用ピンチは、上記課題を解決するためになされるもので、形状を同じくして対峙する一対の合成樹脂製の挟持片と、該一対の挟持片同士を外側方向から押圧して挟持する金属製のバネ体で構成される洗濯用のピンチ具であって、前記挟持片は、前方に位置する挟持部と、中央に位置する回動支点部と、後方に位置する把持部と、該挟持部と回動支点部の間に位置するあご部と、で構成されると共に、該あご部から把持部にかけて前記バネ体が挿通するスリット溝を形成して成り、前記挟持部は、内側方向に片持ち状に付勢すると共に、後方に円弧状に延設される弾性挟持片を形成して成り、前記回動支点部は、回動凹凸支点と、回動逃げ部と、回動ストッパー部とで構成され、前記回動凹凸支点は、前記回動支点部の中央位置に設けられると共に、厚み方向の中央に設けられるスリット溝の両側に双設され、前記回動逃げ部は、前記回動支点部の後方位置に円弧状の逃げ部を形成し、前記回動ストッパー部は、前記回動支点部の前方位置に平面状の当接面を形成して成り、前記あご部は、内側方向には前記弾性挟持片の逃げ空間を形成し、外側方向には前記スリット溝の底面を成すガイド摺動部を形成し、該ガイド摺動部は先端部に向かって外側へ山形状に膨出して傾斜するスロープ部と、その最奥部に落とし込み穴を形成して成り、
前記把持部は、後端部が外側方向に向かって拡開する握り手状に形成すると共に、後方先端付近には吊持フックが掛けられる吊持穴を穿設して成り、前記バネ体は、棒状または板状のバネ部材を一部が開口する開口部を形成しつつ内側方向に付勢する形状に成形すると共に、該開口部を成すバネ部材の両先端部が内側方向に折り返えされて成り、前記挟持片同士が前記回動凹凸支点によって連結された状態において、前記バネ体の開口部を先頭にして前記把持部の内側方向から前記挟持片のスリット溝へ前記バネ体を挿通することで、前記バネ体の先端部が前記あご部の山形状に膨出して傾斜するガイド摺動部のスロープ部に沿って押し込まれ、最終的に該スロープ部の最奥部にある落とし込み穴に前記バネ体の先端部が落とし込まれて組み合わされる手段を採る。
【００１７】
また本発明の洗濯用ピンチは、形状を同じくして対峙する一対の合成樹脂製の挟持片と、該一対の挟持片同士を外側方向から押圧して挟持する金属製のバネ体で構成される洗濯用のピンチ具であって、前記挟持片は、前方に位置する挟持部と、中央に位置する回動支点部と、後方に位置する把持部と、該挟持部と回動支点部の間に位置するあご部と、で構成されると共に、該あご部から把持部にかけて前記バネ体が挿通する挿通スリット穴を形成して成り、前記挟持部は、内側方向に片持ち状に付勢すると共に、後方に円弧状に延設される弾性挟持片を形成して成り、前記回動支点部は、回動凹凸支点と、回動逃げ部と、回動ストッパー部とで構成され、前記回動凹凸支点は、前記回動支点部の中央位置に設けられると共に、厚み方向の中央に設けられる挿通スリット穴の両側に双設され、前記回動逃げ部は、前記回動支点部の後方位置に円弧状の逃げ部を形成し、前記回動ストッパー部は、前記回動支点部の前方位置に平面状の当接面を形成して成り、前記あご部は、内側方向には前記弾性挟持片の逃げ空間を形成し、外側方向には前記挿通スリット穴の底面を成すガイド摺動部を形成し、該ガイド摺動部は先端部に向かって外側へ山形状に膨出して傾斜するスロープ部と、その最奥部に落とし込み穴を形成して成り、前記把持部は、後端部が外側方向に向かって拡開する握り手状に形成すると共に、後方先端付近には吊持フックが掛けられる吊持穴を穿設して成り、前記バネ体は、棒状または板状のバネ部材を一部が開口する開口部を形成しつつ内側方向に付勢する形状に成形すると共に、該開口部を成すバネ部材の両先端部が内側方向に折り返えされて成り、前記挟持片同士が前記回動凹凸支点によって連結された状態において、前記バネ体の開口部を先頭にして前記把持部の内側方向から前記挟持片の挿通スリット穴へ前記バネ体を挿通することで、前記バネ体の先端部が前記あご部の山形状に膨出して傾斜するガイド摺動部のスロープ部に沿って押し込まれ、最終的に該スロープ部の最奥部にある落とし込み穴に前記バネ体の先端部が落とし込まれて組み合わされる手段を採る。
【００１８】
また本発明の洗濯用ピンチは、形状を同じくして対峙する一対の合成樹脂製の挟持片と、該一対の挟持片同士を外側方向から押圧して挟持する金属製のバネ体で構成される洗濯用のピンチ具であって、前記挟持片は、前方に位置する挟持部と、中央に位置する回動支点部と、後方に位置する把持部と、該挟持部と回動支点部の間に位置するあご部と、で構成され、前記挟持片全体を無垢状に形成すると共に、該回動支点部から把持部にかけて前記バネ体が挿通される挿通長穴を形成して成り、前記挟持部は、内側方向に片持ち状に付勢すると共に、後方に円弧状に延設される弾性挟持片を形成し、外側には前記バネ体の先端部が落とし込まれる落とし込み溝を形成して成り、前記回動支点部は、回動凹凸支点と、回動逃げ部と、回動ストッパー部とで構成され、前記回動凹凸支点は、前記回動支点部の中央位置両側に双設され、前記回動逃げ部は、前記回動支点部の後方位置に円弧状の逃げ部を形成し、前記回動ストッパー部は、前記回動支点部の前方位置に平面状の当接面を形成して成り、前記あご部は、内側方向には前記挟持部の逃げ空間を形成して成り、前記把持部は、後端部が外側方向に向かって拡開する握り手状に形成すると共に、後方先端付近には吊持フックが掛けられる吊持穴を穿設して成り、前記バネ体は、棒状または板状のバネ部材を一部が開口する開口部を形成しつつ内側方向に付勢する形状に成形すると共に、該開口部を成すバネ部材の両先端部が内側方向に折り返えされて成り、前記挟持片同士が前記回動凹凸支点によって連結された状態において、前記挟持片の挟持部の外側に形成された落とし込み溝に前記バネ体の先端部が落とし込まれて組み合わされる手段を採る。
【００１９】
また本発明の洗濯用ピンチは、形状を同じくして対峙する一対の合成樹脂製の挟持片と、該一対の挟持片同士を外側方向から押圧して挟持する金属製のバネ体で構成される洗濯用のピンチ具であって、前記挟持片は、前方に位置する挟持部と、中央に位置する回動支点部と、後方に位置する把持部と、該挟持部と回動支点部の間に位置するあご部と、で構成されると共に、前記把持部の吊持穴を残して洗濯用ピンチ全体を無垢状に形成して成り、前記挟持部は、内側方向に片持ち状に付勢すると共に、後方に円弧状に延設される弾性挟持片を形成して成り、前記回動支点部は、回動連結支点と、回動逃げ部と、回動ストッパー部とで構成され、前記回動連結支点は、前記回動支点部の中央位置に前記一対の挟持片同士と共に一体成形し、前記回動逃げ部は、前記回動支点部の後方位置に円弧状の逃げ部を形成し、前記回動ストッパー部は、前記回動支点部の前方位置に平面状の当接面を形成して成り、前記あご部は、内側方向には前記弾性挟持片の逃げ空間を形成して成り、前記把持部は、後端部が外側方向に向かって拡開する握り手状に形成すると共に、後方先端付近には吊持フックが掛けられる吊持穴を穿設して成り、前記把持部の一方の内側にバネ板を一体成形して設けると共に、他方の内側に該バネ板を湾曲させた状態で係止する係止突起を一体成形し、前記バネ板を前記係止突起に係合させて組み合わされる手段を採る。
【００２０】
また本発明の洗濯用ピンチは、前記一対の挟持片同士と一体成形によって連結される連結体を前記回動支点部の回動逃げ部の後方に設けた手段を採る。
【００２１】
また本発明の洗濯用ピンチは、前記一対の挟持片同士と一体成形によって連結される回動連結支点を前記回動凹凸支点に替わって設けた手段を採る。
【００２２】
また本発明の洗濯用ピンチは、前記挟持部の弾性挟持片が、洗濯物を内側方向に付勢して挟持する楕円状の弾性挟持片を形成して成る手段を採る。
【発明の効果】
【００２３】
本発明の洗濯用ピンチによれば、バネ体の挟持力を制限する回動ストッパー部を設けた構造と、洗濯物をソフトタッチに挟持する弾性挟持片を設けた構造と、を備えることによって洗濯ピンチの挟持片を閉じた状態で乾いた洗濯物を容易に且つ、素早く取り込むことができるといった優れた効果を奏する。
【００２４】
また本発明の洗濯用ピンチによれば、一体成形される一対の合成樹脂製の挟持片に形状の異なる金属製のバネ体を嵌め込むことによって、組立工程における手作業の簡素化とコストダウンを図り、さらにバネ体を挟持片の把持部の後方から嵌め込むことができる構造を採用していることによって自動化における大量生産を可能にするといった優れた効果を奏する。
【００２５】
また本発明の洗濯用ピンチによれば、厚み方向の中央に設けられるスリット溝の両側に帯状の連結体が双設されていることによって、挟持片同士を組み合わせる必要性がなくなることから、組立工程における手作業の簡素化ならびに自動化ラインの組立工程の工数削減が図られるといった優れた効果を奏する。
【００２６】
また本発明の洗濯用ピンチによれば、回動支点部の後方に設けられる帯状の連結体によって上方の挟持片と下方の挟持片が射出成形加工工程において一体化されることにより、後工程における組立工程の工数削減が図られると共に、使用時においては、回動支点部の回動凹凸支点によって回動動作がスムーズに行えるといった優れた効果を奏する。
【００２７】
また本発明の洗濯用ピンチによれば、バネ体を洗濯用ピンチの外形輪郭内に設けることによって、金属製バネの表面腐食による錆汚れの洗濯物への付着を防ぐと共に、使用者の皮膚に直接触れることを極力避けることができるため、金属アネルギーなどのアネルギー症状を防ぐことができるといった優れた効果を奏する。
【００２８】
また本発明の洗濯用ピンチによれば、バネ体が洗濯用ピンチの外形輪郭内に設けられることによって、洗濯用ピンチ自体のコンパクト化が図れると同時に、布団干し用ピンチや物干し竿用ピンチ、角型ハンガーピンチなど、家庭用や工業用のピンチ具として利用できるといった優れた効果を奏する。
【００２９】
また本発明の洗濯用ピンチによれば、バネ体が洗濯用ピンチの外形輪郭から突出しない機能的なユニバーサルデザインを施すことができるといった優れた効果を奏する。
【００３０】
また本発明の洗濯用ピンチによれば、従来のリング状のバネ体を挟持片の把持部の後方から組み込むことができる構造を採用していることによって自動化による大量生産を可能にすると共に、射出成形加工によって形成される帯状の連結体を有することで挟持片同士を組み合わせる必要性がなくなることから、低コストの洗濯用ピンチの製造ができるといった優れた効果を奏する。
【００３１】
また本発明の洗濯用ピンチによれば、従来のリング状のバネ体と、一体成形される一対の挟持片の帯状の連結体ならびに回動連結支点を利用することで、挟持片同士を組み合わせる必要性がなくなることから、従来の組立工程を大きく変更することなく最小限の設備投資で低コストの洗濯用ピンチの製造ができるといった優れた効果を奏する。
【図面の簡単な説明】
【００３２】
【図１】本発明の請求項１記載の洗濯用ピンチを示す説明図である。（実施例１）
【図２】本発明の請求項１記載の洗濯用ピンチの使用状態を示す説明図である。
【図３】本発明の請求項１および請求項５記載の洗濯用ピンチを示す説明図である。（実施例２）
【図４】本発明の請求項１および請求項６記載の洗濯用ピンチを示す説明図である。（実施例３）
【図５】本発明の請求項２記載の洗濯用ピンチを示す説明図である。（実施例４）
【図６】本発明の請求項３記載の洗濯用ピンチを示す説明図である。（実施例５）。
【図７】本発明の請求項４記載の洗濯用ピンチを示す説明図である。（実施例６）
【図８】本発明の請求項７記載の洗濯用ピンチを示す説明図である。（実施例７）
【発明を実施するための形態】
【００３３】
本発明の洗濯用ピンチ１０は、形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、で形成されると共に、該挟持部２１と回動支点部２３の間に位置するあご部２５から把持部３０にかけてバネ体３３が挿通するスリット溝３１を形成し、さらに挟持部２１には内側方向に片持ち状に付勢すると共に、後方に円弧状に延設される弾性挟持片２２を設け、回動支点部２３には回動凹凸支点２３aと回動逃げ部２３bと回動ストッパー部２３cとが設けられ、バネ体３３の挟持力を制限する構造と、洗濯物Ｓをソフトタッチに挟持する弾性挟持片２２を設けることによって乾いた洗濯物Ｓを容易に、且つ素早く取り込むことができる構造に加えて金属アネルギーや錆汚れの付着を防ぐと共に、組立工程における手作業の簡素化とコストダウンを図り、さらに自動化における大量生産を可能にする構造を有したことを最大の特徴とするものである。以下、本発明の実施形態を図面に基づいて説明する。
【００３４】
なお、本発明における洗濯用ピンチ１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３５】
図１は、本発明の請求項１記載の洗濯用ピンチを示す説明図である。
図１（ａ）は本発明の洗濯用ピンチの分解説明図を示し、図１（ｂ）は断面組立図を示し、図１（ｃ）は側面図を示す。
本発明の洗濯用ピンチ１０は、形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成されると共に、該あご部２５から把持部３０にかけてバネ体３３が挿通するスリット溝３１を形成して成り、挟持部２１は、内側方向に片持ち状に付勢すると共に、後方に円弧状に延設される弾性挟持片２２を形成して成り、回動支点部２３は、回動凹凸支点２３aと、回動逃げ部２３bと、回動ストッパー部２３cとで構成され、回動凹凸支点２３aは、回動支点部２３の中央位置に設けられると共に、厚み方向の中央に設けられるスリット溝３１の両側に双設され、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には弾性挟持片２２の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は、後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成しつつ内側方向に付勢する形状に成形すると共に、該開口部３４を成すバネ部材の両先端部が内側方向に折り返えして形成される。
【００３６】
挟持片２０は、形状を同じくして対峙する一対の合成樹脂素材で形成され、前方に位置する挟持部２１と、中央に位置する回動支点部２３と、該挟持部２１と回動支点部２３の間に位置するあご部２５と、後方に位置する把持部３０とで形成される。
【００３７】
挟持部２１は、洗濯物Ｓを内側方向に付勢して後方に円弧状に延設される片持ち状の弾性挟持片２２を備えて形成される。
【００３８】
弾性挟持片２２は、挟持部２１の内側方向に片持ち状に付勢すると共に、後方に円弧状に延設し、あご部２５の逃げ空間２６内で洗濯物Ｓを挟持する弾性復元を繰り返す構造を有して形成される。
【００３９】
回動支点部２３は、回動凹凸支点２３aと、回動逃げ部２３bと、回動ストッパー部２３cとで構成され、挟持片２０の略中央に位置して厚み方向の中央に設けられるスリット溝３１の両側に双設される。
【００４０】
回動凹凸支点２３aは、回動支点部２３の中央位置に設けられると共に、厚み方向の中央に設けられるスリット溝３１の両側に双設されるもので、形状的には図示されるような凹凸状の突起または穴の外に、半円形の嵌め合い突起溝などで形成することもできる。
【００４１】
回動逃げ部２３bは、回動支点部２３の後方位置に円弧状の逃げ部を形成して成るもので、円弧状の逃げ部を形成していることによって、バネ体３３の挟持力の動きに同調して洗濯用ピンチ１０の先端部をスムーズに開かせる役目を果たす。
【００４２】
回動ストッパー部２３cは、回動支点部２３の前方位置に平面状の当接面を形成して成るもので、洗濯用ピンチ１０の先端部を閉じた場合、バネ体３３の挟持力を制限し、弾性挟持片２２の挟持力のみで洗濯物Ｓをソフトタッチに挟持すると共に、ローラー付き洗濯ばさみの様に乾いた洗濯物を容易に且つ、素早く取り込むことができる。
また当接面の表面に突出量の異なる突起を設けたり、当接面の接触角度を変えたりし、さらにそれらの違いを視認できるようにカラーや形状を違えて洗濯物Ｓの厚みに合わせた専用の洗濯用ピンチ１０とすることもできる。
また、従来の先行文献における一体成形される合成樹脂製の挟持部材とばね要素とで構成される「保持装置」（特許文献７参照）は、本発明の構成要素である回動ストッパー部２３cを備えていない状態で、ばね要素の挟持力が洗濯物Ｓにダイレクトに伝わる構造を有して提案されているのに対し、本発明の洗濯用ピンチ１０は、回動ストッパー部２３cを備えていることによってバネ体３３の挟持力を制限し、弾性挟持片２２の挟持力のみで洗濯物Ｓをソフトタッチに挟持する構造を有して提案しているもので、その挟持する回動ストッパー部２３cを備える挟持手段と構造は大きく異なるものである。
【００４３】
あご部２５は、内側方向には挟持部２１の弾性挟持片２２の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を設けて形成される。
【００４４】
スロープ部２８は、あご部２５の底面に先端部に向かって山形状に膨出して傾斜する形状で形成されるもので、先端部に向かって外側へ傾斜していることによって、バネ体３３の開口部３４がやや拡開した状態で組み込まれるため、常時挟持片２０を内側方向に付勢している状態で組み合わされる。また、スロープ部２８が山形状に膨出して傾斜していることによって、バネ体３３の開口部３４の先端部が落とし込み穴２９から外れ落ちることを防止することができる。
【００４５】
把持部３０は、後端部に吊持フックが挿通される吊持穴３７を穿設すると共に、該後端部が外側方向に向かって拡開する形状に形成される。吊持フックが挿通される吊持穴３７が設けられることによって洗濯用ピンチ１０自体を物干し竿やハンガーに自在に吊るすことができるため、洗濯物Ｓの形状や種類に合わせて使い分けて使用することができる。なお、吊持穴３７は洗濯用ピンチ１０の種類によっては形成しない仕様とすることもできる。
【００４６】
スリット溝３１は、挟持片２０のあご部２５から把持部３０にかけてバネ体３３が挿通されるスリット状の溝であって、挟持片２０の厚み方向の中心位置に設けられる。さらに該バネ体３３が外形輪郭内に組み込まれることによって、挟持片２０同士が内側方向に付勢した状態で組み合わされ、さらに、バネ体３３を挟持片２０の把持部３０の後方から嵌め込むことで自動化による大量生産を可能にすると共に、外側が閉塞されていることによって機能的なユニバーサルデザインが施された洗濯用ピンチ１０とすることができる。
また、図１（ａ）,（ｂ）,（ｃ）では外側方向が閉塞する形状において作図しているが、内側から外側に挿通可能な挿通スリット穴３２とすることもできる。
【００４７】
バネ体３３は、金属製の棒状または板状のバネ部材を一部が開口する開口部３４を形成しつつ内側方向に付勢する形状に成形すると共に、該開口部３４を成すバネ部材の両先端部が内側方向に折り返した状態に形成して成る。またバネ体３３を挟持片２０の把持部３０の後方から嵌め込むことができる構造を採用していることで自動化による大量生産を可能にしている。また、図示される角形のバネ体３３の突出した状態が把持部３０の可動範囲内に収まることによって、洗濯用ピンチ１０自体のコンパクト化が図れると同時に、洗濯物Ｓならびに使用者の皮膚に直接接触することを回避することができる。
なお、バネ体３３の形状は、円形や楕円形の外に角形などバネ部材を内側方向に付勢すると共に、外形輪郭内に位置して組み込まれる形状であれば、特にその形状を限定するものではない。
【００４８】
開口部３４は、バネ体３３の一部を開口して形成されるものであって、その両端はＵ字状に折り返されている。両先端部を折り返すことによって該先端部が丸みを帯びた状態となり、挿入時において山形状に膨出して傾斜するスロープ部２８に引っ掛かることなくスムーズに押し込むことができると共に、スロープ部２８の最奥部にある落とし込み穴２９に落とし込んだ状態から外れ落ちることを防止する形状となっている。
【００４９】
以上で構成される本発明の洗濯用ピンチ１０は、挟持片２０の内側に洗濯物Ｓを内側方向に付勢して挟持する片持ち状の弾性挟持片２２を形成する構造を採用していることよって、乾いた洗濯物Ｓを取り込む際に洗濯用ピンチ１０の挟持片２０が開かない状態で容易に且つ、素早く取り込むことができ、さらにバネ体３３を挟持片２０の把持部３０の後方から嵌め込むことができる構造を採用していることよって、組立工程における手作業の簡素化とコストダウンが図られ、さらに自動化における大量生産を可能にすると共に、バネ体３３を洗濯用ピンチ１０の外形輪郭内に設けることによって、金属製バネの表面腐食による錆汚れの洗濯物Ｓへの付着を防ぐと共に、使用者の皮膚に直接触れることを極力避けることができる上、金属アネルギーなどのアネルギー症状を防止することができるといった多くの利点を有して形成される。
【００５０】
図２は、本発明の請求項１記載の洗濯用ピンチの使用状態を示す説明図である。
図２（ａ）は洗濯物Ｓの物干し前の状態を示す説明図である。
洗濯用ピンチ１０の把持部３０を握って挟持片２０の先端の挟持部２１を拡開した状態で洗濯物Ｓを差し込む。
【００５１】
図２（ｂ）は洗濯物Ｓの物干し中の状態を示す説明図である。
洗濯用ピンチ１０の弾性挟持片２２で洗濯物Ｓを挟持して物干しする。
この時、バネ体３３の挟持力は回動ストッパー部２３c同士が当接することで制限されるため、洗濯物Ｓは弾性挟持片２２の弾性力のみの挟持力でソフトタッチに挟持される。
【００５２】
図２（ｃ）は、洗濯物Ｓの物干し後の状態を示す説明図である。
洗濯物Ｓがバネ体３３の挟持力の影響を受けない弾性挟持片２２の弾性力のみでソフトタッチに挟持されるため、洗濯用ピンチ１０の挟持部２１が開かない圧着した状態で乾いた洗濯物Ｓを容易に、且つ素早く取り込むことができる。
【００５３】
以上で構成される本発明の洗濯用ピンチ１０は、従来の洗濯用ピンチの先端に回転ローラーを備えたローラー付き洗濯用ピンチと比較して、構造が極めて簡単でしかも製品価格が安価である上、洗濯物Ｓに対してもソフトタッチに挟持することができるため、レース生地、絹生地などの繊細な洗濯物Ｓの生地を傷つけることなく、乾いた洗濯物Ｓを容易に且つ、素早く取り込むことができる。
【実施例２】
【００５４】
図３は、本発明の請求項1および請求項５記載の洗濯用ピンチを示す説明図である。
図３（ａ）は本発明の洗濯用ピンチ１０の分解説明図を示し、図３（ｂ）は断面組立図を示し、図３（ｃ）は後方からの側面図を示す。
本発明の洗濯用ピンチ１０は、一対の挟持片２０同士と一体成形によって連結される帯状の連結体２４を回動支点部２３の回動逃げ部２３ｃの後方に設けて形成されるもので、詳しくは、形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成されると共に、該あご部２５から把持部３０にかけてバネ体３３が挿通するスリット溝３１を形成して成り、挟持部２１は、内側方向に片持ち状に付勢すると共に、後方に円弧状に延設される弾性挟持片２２を形成して成り、回動支点部２３は、回動凹凸支点２３aと、回動逃げ部２３bと、回動ストッパー部２３cとで構成され、回動凹凸支点２３aは、回動支点部２３の中央位置に設けられると共に、厚み方向の中央に設けられるスリット溝３１の両側に双設され、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には弾性挟持片２２の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は、後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成しつつ内側方向に付勢する形状に成形すると共に、該開口部３４を成すバネ部材の両先端部が内側方向に折り返えして形成される。
【００５５】
連結体２４は、挟持片２０の略中央に位置し、厚み方向の中央に設けられるスリット溝３１をはさんだ両側に双設される回動支点部２３の後方に帯状に設けられ、上方の挟持片２０と下方の挟持片２０を一体成形して連結すると共に、互いの位置関係を維持する目的で設けられる。射出成形工程を終了してから組立工程までの間、上方の挟持片２０と下方の挟持片２０の互いの位置関係を保つことにより挟持片２０同士を組み合わせる必要性がなくなることから、組立工程における手作業の簡素化ならびに自動化ラインの組立工程の工数削減が図られる。また形状的には帯状が好ましいが線状、肉薄穴あき板などその形状は特に限定されるものではなく、折り畳み機能や切り離し機能を持たせるために折り目や破断スリットを設けても良い。さらにバネ体３３によって挟持片２０同士が組み合わされた後は、その役割が終了することから材質的な強度ならびに耐久性も特に必要とするものではない。
【００５６】
本発明の洗濯用ピンチ１０を組み付ける時は、バネ体３３を挟持片の２０のスリット溝３１の両側に双設される回動支点部２３と帯状の連結体２４を跨いだ状態で嵌め込んで組み立てられる。なお、バネ体３３の形状は、バネ部材を内側方向に付勢する形状であれば、特にその形状を限定するものではない。
【００５７】
以上で構成される本発明の洗濯用ピンチ１０は、帯状の連結体２４と共に一体成形される一対の合成樹脂製の挟持片２０と、リング状のバネ体３３を挟持片２０の把持部３０の後方から嵌め込むことができる構造を採用していることで自動化による大量生産を可能にする。また従来のリング状のバネ体３３を使用すると共に、射出成形加工によって形成される帯状の連結体２４が設けられることによって挟持片２０同士を組み合わせる必要性がなくなることから、組立工程における手作業の簡素化ならびに自動化ラインの組立工程の工数削減が図られる。.
.
【実施例３】
【００５８】
図４は、本発明の請求項1および請求項６記載の洗濯用ピンチを示す説明図である。
図４（ａ）は本発明の洗濯用ピンチ１０の分解説明図を示し、図４（ｂ）は断面組立図を示し、図４（ｃ）は後方からの側面図を示す。
本発明の洗濯用ピンチ１０は、一対の挟持片２０同士と一体成形によって連結される回動連結支点２３dを回動凹凸支点２３aに替わって形成されるもので、詳しくは、形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成されると共に、該あご部２５から把持部３０にかけてバネ体３３が挿通するスリット溝３１を形成して成り、挟持部２１は、内側方向に片持ち状に付勢すると共に、後方に円弧状に延設される弾性挟持片２２を形成して成り、回動支点部２３は、回動凹凸支点２３aと、回動逃げ部２３bと、回動ストッパー部２３cとで構成され、回動凹凸支点２３aは、回動支点部２３の中央位置に設けられると共に、厚み方向の中央に設けられるスリット溝３１の両側に双設され、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には弾性挟持片２２の逃げ空間２６を形成し、外側方向にはスリット溝３１の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は、後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成しつつ内側方向に付勢する形状に成形すると共に、該開口部３４を成すバネ部材の両先端部が内側方向に折り返えして形成される。
【００５９】
回動連結支点２３dは、挟持片２０の略中央に位置し、厚み方向の中央に設けられるスリット溝３１をはさんだ両側に双設される回動支点部２３の中央に設けられると同時に、上方の挟持片２０と下方の挟持片２０を一体成形して連結し、回動枢軸としてや挟持片２０の互いの位置関係を維持する目的で設けられると共に、上方の挟持片２０と下方の挟持片２０の互いの位置関係を保つことにより挟持片２０同士を組み合わせる必要性をなくすことを目的として形成される。
【００６０】
以上で構成される本発明の洗濯用ピンチ１０は、回動連結支点２３dと共に一体成形される一対の合成樹脂製の挟持片２０と、リング状のバネ体３３を挟持片２０の把持部３０の後方から嵌め込むことができる構造を採用していることで自動化による大量生産を可能にする。また従来のリング状のバネ体３３を使用すると共に、射出成形加工によって形成される回動連結支点２３dが設けられることによって挟持片２０同士を組み合わせる必要性がなくなることから、組立工程における手作業の簡素化ならびに自動化ラインの組立工程の工数削減が図られる。
【実施例４】
【００６１】
図５は、本発明の請求項２記載の洗濯用ピンチを示す説明図である。
形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成されると共に、該あご部２５から把持部３０にかけてバネ体３３が挿通する挿通スリット穴３２を形成して成り、挟持部２１は、内側方向に片持ち状に付勢すると共に、後方に円弧状に延設される弾性挟持片２２を形成して成り、回動支点部２３は、回動凹凸支点２３aと、回動逃げ部２３bと、回動ストッパー部２３cとで構成され、回動凹凸支点２３aは、回動支点部２３の中央位置に設けられると共に、厚み方向の中央に設けられる挿通スリット穴３２の両側に双設され、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には弾性挟持片２２の逃げ空間２６を形成し、外側方向には挿通スリット穴３２の底面を成すガイド摺動部２７を形成し、該ガイド摺動部２７は先端部に向かって外側へ山形状に膨出して傾斜するスロープ部２８と、その最奥部に落とし込み穴２９を形成して成り、把持部３０は、後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成しつつ内側方向に付勢する形状に成形すると共に、該開口部３４を成すバネ部材の両先端部が内側方向に折り返えして形成される。
【００６２】
図５（ａ）は請求項２記載の回動支点部２３が回動凹凸支点２３aで形成される洗濯用ピンチ１０にバネ体３３が挿通される挿通スリット穴３２を挟持片２０のあご部２５から把持部３０の間に形成した実施形態である。
図５（ｂ）は請求項２および請求項５記載の回動支点部２３の後方に設けられる帯状の連結体２４で連結される洗濯用ピンチ１０にバネ体３３が挿通される挿通スリット穴３２を挟持片２０のあご部２５から把持部３０の間に形成した実施形態である。
図５（ｃ）は請求項２および請求項６記載の回動支点部２３の回動支点が回動連結支点２３dで連結される洗濯用ピンチ１０にバネ体３３が後方から挿通される挿通スリット穴３２を挟持片２０のあご部２５から把持部３０の間に形成した実施形態である。
【００６３】
挿通スリット穴３２は、あご部２５から把持部３０にかけてバネ体３３が挿通されるスリット状の貫通穴であって、挟持片２０の厚み方向の中心位置に設けられる。
なお、挿通スリット穴３２とした理由は、スリット溝３１については外側が閉塞されてユニバーサルデザインが施されるデザイン的機能を優先した仕様に対し、挿通スリット穴３２は、従来のリング状のバネ体３３を利用することで製造コストの削減を優先した
様としたことである。
【００６４】
以上で構成される本発明の洗濯用ピンチ１０は、形状を同じくして対峙する一対の合成樹脂製の挟持片２０の挿通スリット穴３２に、リング状のバネ体３３を挟持片２０の把持部３０の後方から嵌め込むことによって自動化による大量生産を可能にすると共に、従来のリング状のバネ体３３を使用することから、低コストの洗濯用ピンチの製造ができるといった優れた効果が得られる。  
【実施例５】
【００６５】
図６は、本発明の請求項３記載の洗濯用ピンチを示す説明図である。
形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成され、挟持片２０全体を無垢状に形成すると共に、該回動支点部２３から把持部３０にかけてバネ体３３が挿通される挿通長穴３６を形成して成り、挟持部２１は、内側方向に片持ち状に付勢すると共に、後方に円弧状に延設される弾性挟持片２２を形成し、外側にはバネ体３３の先端部が落とし込まれる落とし込み溝３５を形成して成り、回動支点部２３は、回動凹凸支点２３aと、回動逃げ部２３bと、回動ストッパー部２３cとで構成され、回動凹凸支点２３aは、回動支点部２３の中央位置両側に双設され、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には挟持部２１の逃げ空間２６を形成して成り、把持部３０は、後端部が外側方向に向かって拡開する握り手状に形成すると共に、後方先端付近には吊持フックが掛けられる吊持穴３７を穿設して成り、バネ体３３は、棒状または板状のバネ部材を一部が開口する開口部３４を形成しつつ内側方向に付勢する形状に成形すると共に、該開口部３４を成すバネ部材の両先端部が内側方向に折り返して形成される。
【００６６】
図６（ａ）は請求項３記載の回動支点部２３が回動凹凸支点２３aで形成される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片２０の挟持部２１の外側に形成した実施形態である。
【００６７】
図６（ｂ）は請求項３および請求項５記載の回動支点部２３の後方に設けられる帯状の連結体２４で連結される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片２０の挟持部２１の外側に形成した実施形態である。
【００６８】
図６（ｃ）は請求項３および請求項６の記載回動支点部２３の回動支点が回動連結支点２３dで連結される洗濯用ピンチ１０に挟持片２０の挟持部２１と回動支点部２３を無垢状に形成すると共に、該回動支点部２３から把持部３０にかけてバネ体３３が挿通される挿通長穴３６を形成し、バネ体３３の開口部３４の先端部が落とし込まれる落とし込み溝３５を挟持片の挟持部２１の外側に形成した実施形態である。
【００６９】
挿通長穴３６は、回動支点部２３から把持部３０にかけてバネ体３３が挿通される貫通長穴であって、挟持片２０の厚み方向の中心位置に設けられる。
【００７０】
以上で構成される本発明における洗濯用ピンチ１０は、従来の洗濯用ピンチ１０に挿通長穴３６を設け、その挿通長穴３６にリング状のバネ体３３を挿通することによって、従来の組立工程を大きく変更することなく最小限の設備投資で低コストの製造ができるといった優れた効果が得られる。
【実施例６】
【００７１】
図７は、本発明の請求項４記載の洗濯用ピンチを示す説明図である。
形状を同じくして対峙する一対の合成樹脂製の挟持片２０と、該一対の挟持片２０同士を外側方向から押圧して挟持する金属製のバネ体３３で構成される洗濯用のピンチ具であって、挟持片２０は、前方に位置する挟持部２１と、中央に位置する回動支点部２３と、後方に位置する把持部３０と、該挟持部２１と回動支点部２３の間に位置するあご部２５と、で構成されると共に、把持部３０の吊持穴３７を残して洗濯用ピンチ１０全体を無垢状に形成して成り、挟持部２１は、内側方向に片持ち状に付勢すると共に、後方に円弧状に延設される弾性挟持片２２を形成して成り、回動支点部２３は、回動連結支点２３dと、回動逃げ部２３bと、回動ストッパー部２３cとで構成され、回動連結支点２３dは、回動支点部２３の中央位置に一対の挟持片２０同士と共に一体成形し、回動逃げ部２３bは、回動支点部２３の後方位置に円弧状の逃げ部を形成し、回動ストッパー部２３cは、回動支点部２３の前方位置に平面状の当接面を形成して成り、あご部２５は、内側方向には弾性挟持片２２の逃げ空間を形成して成り、把持部３０は、後端部が外側方向に向かって拡開する握り手状に形成すると共に、後方先端付近には吊持フックが掛けられる吊持穴３７を穿設して形成される。
【００７２】
図７（ａ）は本発明の洗濯用ピンチ１０の全体図を示す。
本発明の洗濯用ピンチ１０は、把持部３０の吊持穴３７を残して洗濯用ピンチ１０全体を無垢状に形成し、把持部３０の一方の内側にバネ板３８を一体成形して設けると共に、他方の内側に該バネ板３８を湾曲させた状態で係止する係止突起３９を一体成形して設けられる。
【００７３】
図７（ｂ）は本発明の洗濯用ピンチ１０の断面組立図を示す。
一体成形されたバネ板３８を挟持片２０の把持部３０の内側に湾曲させた状態で係止突起３９に組み込む。
【００７４】
以上で構成される本発明の洗濯用ピンチ１０は、洗濯用ピンチ１０を構成する全ての部品（挟持片２０とバネ板３８）が合成樹脂素材によって一体成形されて形成されることから、洗濯用ピンチ１０に求められる乾いた洗濯物Ｓを取り込む際に洗濯用ピンチ１０を開かないで圧着した状態で容易に且つ、素早く取り込むことができる構造に加えて金属アネルギーや錆汚れの洗濯物Ｓへの付着を防ぐと共に、組立工程における手作業の簡素化とコストダウンを図り、さらに自動化における大量生産を可能にする。
【実施例７】
【００７５】
図８は、本発明の請求項７記載の洗濯用ピンチを示す説明図である。
本発明の洗濯用ピンチ１０は、挟持部２１の弾性挟持片２２が洗濯物Ｓを内側方向に付勢して挟持する楕円状の弾性挟持片４０で形成される。
【００７６】
楕円状の弾性挟持片４０は、あご部２５の逃げ空間２６内で弾性復元して洗濯物Ｓをソフトタッチに挟持するものである。
【００７７】
以上で構成される本発明の洗濯用ピンチ１０は、弾性挟持片２２の形状が楕円状となっていることで、復元性、挟持性に優れ、また洗濯物Ｓの引っ掛かりなどがなく従来のローラー付き洗濯ばさみと同様な手作業で乾いた洗濯物Ｓを容易に且つ、素早く取り込むことができる。
【産業上の利用可能性】
【００７８】
本発明の洗濯用ピンチは、乾いた洗濯物を容易に且つ、素早く取り込むことができることに加えて金属アネルギーや錆汚れの洗濯物への付着を防ぐと共に、組立工程における手作業の簡素化とコストダウンを図り、さらに自動化における大量生産を可能にすることから、布団干し用ピンチ、物干し竿用ピンチ、角型ハンガーピンチ、据え置き型の事務用クリップ、工業用ならびに商業用の留め具など家庭用や工業用のピンチ具として利用できるもので、本発明における「洗濯用ピンチ」の産業上の利用可能性は大であると解する。
【符号の説明】
【００７９】
１０  洗濯用ピンチ
２０  挟持片
２１  挟持部
２２  弾性挟持片
２３  回動支点部
２３a 回動凹凸支点
２３b 回動逃げ部
２３c 回動ストッパー部
２３d 回動連結支点
２４  連結体
２５  あご部
２６  逃げ空間
２７  ガイド摺動部
２８  スロープ部
２９  落とし込み穴
３０  把持部
３１  スリット溝
３２  挿通スリット穴
３３  バネ体
３４  開口部
３５  落とし込み溝
３６  挿通長穴
３７  吊持穴
３８  バネ板
３９  係止突起
４０  楕円状の弾性挟持片
Ｓ  洗濯物